(57)【要約】  本発明は、パイプ・クランプ用の環状封止スリーブ（１）と対応するパイプ・クランプとに関する。封止スリーブ（１）は、内側（４）に、第１の断面幾何学形状を有する第１の封止リップ（５ａ、５ｂ）と、第２の断面幾何学形状を有する第２の封止リップ（６ａ、６ｂ）とを有する。高い封止効果を達成するために、第１の断面幾何学形状および第２の断面幾何学形状は異なり、第１の封止リップ（５ａ、５ｂ）は、径方向と比較して軸線方向の寸法が長く、第２の封止リップ（６ａ、６ｂ）は、径方向と比較して軸線方向の寸法が径方向と等しいかまたは径方向よりも短い。【選択図】  図１
2020524771.tif 000002
【特許請求の範囲】
【請求項１】
第１の断面幾何学形状を有する内側（４）の第１の封止リップ（５ａ、５ｂ）と、第２の断面幾何学形状を有する第２の封止リップ（６ａ、６ｂ）とを有する、パイプ・クランプ用の環状封止スリーブ（１）であって、
前記第１の断面幾何学形状および前記第２の断面幾何学形状が異なり、前記第１の封止リップ（５ａ、５ｂ）が、軸線方向の寸法が径方向よりも長く、前記第２の封止リップ（６ａ、６ｂ）が、軸線方向の寸法が径方向と等しいかまたは径方向よりも短い、環状封止スリーブ（１）。
【請求項２】
前記第１の封止リップ（５ａ、５ｂ）が、軸線方向で前記第２の封止リップ（６ａ、６ｂ）から離れるように内側に傾けられる、請求項１に記載の封止スリーブ。
【請求項３】
前記第２の封止リップ（６ａ、６ｂ）が外側で前記第１の封止リップ（５ａ、５ｂ）よりも更に軸線方向に配置される、請求項１または２に記載の封止スリーブ。
【請求項４】
前記第２の封止リップ（６ａ、６ｂ）に隣接して、該第２の封止リップ（６ａ、６ｂ）と同じ断面幾何学形状を有する更なる封止リップ（７ａ、７ｂ）を備える、請求項１から３のいずれか一項に記載の封止スリーブ。
【請求項５】
前記第２の断面幾何学形状が径方向に先細で、特に半円形状で、または頭部が丸みを帯びるかもしくは角ばった角錐形状で形成される、請求項１から４のいずれか一項に記載の封止スリーブ。
【請求項６】
対称的に設計され、
各軸線方向端部領域（２ａ、２ｂ）において、第１の封止リップ（５ａ、５ｂ）および第２の封止リップ（６ａ、６ｂ）または場合によっては更なる封止リップ（７ａ、７ｂ）の組合せが配置される、請求項１から５のいずれか一項に記載の封止スリーブ。
【請求項７】
前記第１の封止リップ（５ａ、５ｂ）が、前記第２の封止リップ（６ａ、６ｂ）および場合によっては前記更なる封止リップ（７ａ、７ｂ）よりも軸線方向内側に設けられる、請求項６に記載の封止スリーブ。
【請求項８】
前記外側で更に軸線方向に配置される更なる封止リップ（７ａ、７ｂ）が、前記第１の封止リップ（５ａ、５ｂ）よりも径方向内側には延在しない、請求項１から７のいずれか一項に記載の封止スリーブ。
【請求項９】
前記第１の封止リップ（５ａ、５ｂ）および前記第２の封止リップ（６ａ、６ｂ）が、前記更なる封止リップ（７ａ、７ｂ）のうち少なくとも１つよりも更に径方向内側に延在する、請求項４から８のいずれか一項に記載の封止スリーブ。
【請求項１０】
前記封止スリーブ（１）が、前記第１の封止リップ（５ａ、５ｂ）の間に材料厚さが一定の中央領域（３）を有し、該中央領域（３）では、前記封止スリーブ（１）が前記封止リップ（５ａ、５ｂ、６ａ、６ｂ、７ａ、７ｂ）の領域よりも薄い、請求項１から９のいずれか一項に記載の封止スリーブ。
【請求項１１】
前記封止スリーブ（１）の径方向外側（８）が平滑である、請求項１から１０のいずれか一項に記載の封止スリーブ。
【請求項１２】
前記封止スリーブ（１）の軸線方向外縁部（９ａ、９ｂ）が径方向で先細である、請求項１から１１のいずれか一項に記載の封止スリーブ。
【請求項１３】
前記封止スリーブ（１）が前記パイプ・クランプの内側（４）に配置される、請求項１から１２のいずれか一項に記載の封止スリーブ（１）を有するパイプ・クランプ。
【請求項１４】
径方向内側に突出する歯を有する少なくとも１つの金属ストリップが前記内側（４）に設けられる、請求項１３に記載のパイプ・クランプ。
【発明の詳細な説明】
【技術分野】
【０００１】
本発明は、第１の断面幾何学形状を有する内側の第１の封止リップと、第２の断面幾何学形状を有する第２の封止リップとを有する、パイプ・クランプ用の環状封止スリーブに関する。更に、本発明は、かかる封止スリーブを有するパイプ・クランプに関する。
【背景技術】
【０００２】
パイプ・クランプは、例えば、スムースエンド・パイプを接続するコンパクトで信頼性が高い手段として、パイプ連結具の形態で利用される。パイプ・クランプを用いて、プラスチックおよび金属のパイプ、また特に、ステンレス鋼パイプ、またはガラス、ストーンウェア、もしくはコンクリートなどの材料で作られたパイプも、互いに接合することが可能である。封止スリーブと組み合わせて、このようにして液密接続が達成されるので、パイプ・クランプによって接合されたパイプを利用して、固体、液体、または気体の媒質のための耐圧導管を作成することができる。
【０００３】
高圧の場合でも信頼性が高いシールを実現するために、封止スリーブの内側の各端部領域に２つの隣接する封止リップを提供する方法が知られている。これら２つの封止リップは、言うなれば二重の安全性をもたらし、高低両方の動作圧力下で良好な封止作用を作り出す。パイプ・クランプが締め付けられると、封止リップも互いに押し付けられ、適切な幾何学形状を軸線方向内側に有することによって、パイプ内部の圧力増大と共に封止作用も更に増大し、それが封止リップにも作用することを確保することができる。
【０００４】
知られている解決策は十分な働きをする。しかしながら、特にパイプの粗面が接合されている場合、漏れが起こり得ることが分かっている。更に、非常に高い内圧によって問題が起こることもある。
【発明の概要】
【発明が解決しようとする課題】
【０００５】
そこで、本発明が対処する課題は、高低両方の圧力下で良好な封止を可能にする、パイプ・クランプ用の封止スリーブおよびパイプ・クランプを提供することである。
【課題を解決するための手段】
【０００６】
この課題は、請求項１の特徴を有する封止スリーブ、ならびに請求項１３の特徴を有するパイプ・クランプによって解決される。有利な実施形態は従属請求項において見出されるであろう。
【０００７】
少なくとも軸方向端部領域に、第１の断面幾何学形状を有する内側の第１の封止リップと、第２の断面幾何学形状を有する第２の封止リップとを有する、パイプ・クランプ用の環状封止スリーブでは、本発明によれば、第１の断面幾何学形状および第２の断面幾何学形状は異なり、第１の封止リップは軸線方向の寸法が径方向よりも長く、第２の封止リップは、軸線方向の寸法が径方向と等しいかまたは径方向よりも短いことが規定される。
【０００８】
軸線方向および径方向という方向の指示は、環状封止スリーブおよびそれと接続されるパイプの形状を指す。異なる断面幾何学形状の対応する構成により、第１の封止リップおよび第２の封止リップに対して異なる性質がもたらされる。したがって、第１の封止リップは、その断面幾何学形状により、第２の封止リップよりも剛性が高い。第１の封止リップは、軸線方向の寸法が径方向よりも長く、パイプの表面に対して比較的平坦に位置するので、比較的低圧で広い面積のシールが得られる。他方で、第２の封止リップは、Ｏリングのように、パイプの表面上の比較的狭い接触面積のみに、したがって、それに応じた高圧で位置する。第２の封止リップの方が簡単に変形させることができるので、より粗い表面に良好に適合させることができる。したがって、第１および第２の封止リップの断面幾何学形状が異なることにより、封止スリーブの端部領域において、非常に信頼性が高い封止が実現される。
【０００９】
第１の封止リップが、軸線方向で第２の封止リップから離れるように内側に傾けられることが、特に好ましい。第２の封止リップは、互いに接合されている２つのパイプ間のギャップの方向に傾けられる。この軸線方向内側への傾きにより、第１の封止リップが、パイプ内部のより高い圧力でパイプの表面に対して更に強固に押し付けられるので、圧力上昇に伴って更に改善された封止も達成される。
【００１０】
特に、第２の封止リップは、外側で第１の封止リップよりも更に軸線方向に配置されると規定される。したがって、第１の封止リップは、パイプの内部に広がる圧力に直接晒されるため、第１の封止段を構成し、一方で第２の封止リップは、追加の封止としての役割を果たすが、より低い圧力にしか耐えられない。
【００１１】
好ましい一実施形態では、第２の封止リップに隣接して、第２の封止リップと同じ断面幾何学形状を有する更なる封止リップが配置される。そのため、更なる封止リップおよび第２の封止リップは比較的薄く、したがって弾性であってもよく、多数の封止リップによって複数の封止が実現される。封止リップは、粗面に非常に良好に適合させることができ、そのため、しっかりした封止を確保することができる。したがって、結果として得られるシールの信頼性が、更なる封止リップによって更に向上する。
【００１２】
好ましくは、第２の断面幾何学形状は、半円形状で、または頭部が丸みを帯びるかもしくは角ばった角錐形状で形成される。そのため、第２の封止リップはＯリングのように作用し、パイプの表面に対して非常にぴったり収まることができる。同時に、軸線方向では比較的弾性であるまま、径方向で適切な封止力を築くことができる。
【００１３】
好ましくは、封止スリーブは対称的に設計され、各軸線方向端部領域において、第１の封止リップおよび第２の封止リップまたは場合によっては更なる封止リップの組合せが配置される。これは、２つのパイプを接合するパイプ連結具として使用されるパイプ・クランプの場合に特に該当する。このように、各パイプ端部に、第１の封止リップおよび第２の封止リップまたは場合によっては更なる封止リップの組合せが配置され、しっかりした封止が得られる。
【００１４】
好ましくは、第１の封止リップは、第２の封止リップおよび場合によっては更なる封止リップよりも軸線方向内側に設けられると規定される。第１の封止リップは、それらの断面幾何学形状が第２の封止リップおよび更なる封止リップよりも剛性が高いため、パイプ内圧に晒される第１のシールとして作用する。第２の封止リップおよび更なる封止リップは、更なる補助封止を作り出す。
【００１５】
好ましい一実施形態では、外側で更に軸線方向に配置される更なる封止リップは、第１の封止リップよりも径方向内側には延在しない。したがって、パイプ・クランプが締め付けられると、最初に第１の封止リップが、次に第２の封止リップが、また次に更なる封止リップがパイプの表面に接する。そのため、パイプ・クランプが締め付けられると、主に第１の封止リップが適切な圧力でパイプ表面に押し付けられて、適切な封止作用を達成することが確保される。パイプ・クランプを更に締め付けることによって、次に封止スリーブが、他の封止リップもパイプの表面に押し付けられ、追加の封止を実現するような形で変形する。しかし、第１の封止リップおよび第２の封止リップは、特に大きい力でパイプ表面に押し付けられ、非常に良好な封止を作り出す。
【００１６】
このため、特に、第１の封止リップおよび第２の封止リップは、更なる封止リップのうち少なくとも１つよりも更に径方向内側に延在すると規定される。特に、第１の封止リップおよび第２の封止リップは、同じ距離だけ径方向内側に延在して、パイプの表面と同時に接触してもよいので、二重の封止が常に確保される。
【００１７】
有利な一実施形態では、封止スリーブは、第１の封止リップの間に材料厚さが一定の中央領域を有し、この中央領域では、封止スリーブは封止リップの領域よりも薄い。中央領域は、実質的に、領域を封止リップで互いに接合し、また任意に、パイプ端部間のギャップをつなぐ役割を果たす。この領域は封止リップを有する領域よりも薄いので、材料を削減できる。つまり、より軽量であって材料コストも安くなる。更に、材料厚さがより薄いことによって、例えば、封止スリーブの中央領域の径方向内側に帯状インサートを配置することが可能になる。これは、例えば、補強材として、また機械的負荷に対する保護として役立つことがある。更に、帯状インサートは、真空を適用する場合、弾性封止スリーブが相互接続されたパイプの間のギャップに引き込まれるのを防ぐことができる。
【００１８】
好ましくは、封止スリーブの径方向外側は平滑である。そのため、封止スリーブは、その外側がパイプ・クランプの内側に接することによって完全に平坦になってもよい。したがって、封止スリーブの外側形状はパイプ・クランプの内側形状に対応する。
【００１９】
有利には、封止スリーブの軸線方向外縁部は、径方向で先細になっている。例えば、封止スリーブの外縁部は、封止スリーブがパイプ・クランプの内部で形状嵌めによって固定されるように、パイプ・クランプの下方の曲縁部に達してもよい。更に、先細形状によって特定の弾性が達成され、つまり、軸線方向外側の封止リップはある程度変形しやすい。先細形状の角度は、固着リングとしての役割を果たし、２つの相互接続されたパイプを軸線方向で固定する、任意の金属ストリップの傾きを決定付けることができる。
【００２０】
上述の課題はまた、かかる封止スリーブを有するパイプ・クランプによって解決され、本発明によれば、封止スリーブはパイプ・クランプの内側に配置されると規定される。かかるパイプ・クランプを用いて、信頼性が高く液密の方式で、平滑なパイプ端部を互いに接合することができる。更に、かかるパイプ・クランプは、漏れの部位を被覆する修理用クランプとして使用することができる。
【００２１】
好ましくは、パイプ・クランプは、内側に設けられた径方向内側に突出する歯を有する、少なくとも１つの金属ストリップを備え、特に、かかる金属ストリップは、パイプ・クランプの両方の軸線方向端部に設けられる。内側に突出する歯を有するこの金属ストリップは、固着リングとも呼ばれることがあり、パイプ端部を互いに軸線方向で固定する。したがって、パイプ・クランプは引張接合を実現することもできる。かかる金属ストリップがなければ、パイプ・クランプは、封止機能を有する純粋なパイプ連結具を構築するのみであり、軸線方向固定は追加の要素によって実現されなければならない。
【００２２】
更に、帯状インサートを封止スリーブの一方の内側に設けることができる。帯状インサートは、封止スリーブの内側を保護し、特に、軸線方向端部領域にそれぞれ形成される封止リップの間でのみ、中央領域のみに延在する。
【００２３】
本発明を、好ましい例示的実施形態を図面と共に用いて、以下に更に詳細に記載するものとする。
【図面の簡単な説明】
【００２４】
【図１】未装填状態の封止スリーブを通る断面を示す図である。
【図２】装填状態の封止スリーブを通る断面を示す図である。
【発明を実施するための形態】
【００２５】
図１は、対称的形状を有し、即ち、鏡像の軸線方向端部領域２ａ、２ｂを有し、それらの間に材料厚さが薄い中央領域３が形成される、パイプ・クランプ用の封止スリーブ１の断面を示している。封止スリーブ１の内側４には、第１の封止リップ５ａ、５ｂおよび第２の封止リップ６ａ、６ｂがそれぞれ、端部領域２ａ、２ｂそれぞれに形成される。第２の封止リップ６ａ、６ｂは、第１の封止リップ５ａ、５ｂよりも軸線方向で更に外側に配置される。第２の封止リップ６ａ、６ｂに隣接して、更なる封止リップ７ａ、７ｂは軸線方向で更に外側に配置される。
【００２６】
第１の封止リップ５ａ、５ｂは、第１の断面幾何学形状を有し、径方向よりも軸線方向で更に延在する。それらはそれぞれ、第２の封止リップ６ａ、６ｂから離れるように、即ち軸線方向で内側に傾けられる。第２の封止リップ６ａ、６ｂ、ならびに更なる封止リップ７ａ、７ｂは、第２の断面幾何学形状を有し、軸線方向よりも遠くまで、または軸線方向と同等に径方向で延在する。第２の封止リップ６ａ、６ｂおよび更なる封止リップ７ａ、７ｂは、したがって、ほとんどまたは全く傾けられず、第１の封止リップ５ａ、５ｂよりも軸線方向で柔軟性がある。
【００２７】
第２の封止リップ６ａ、６ｂおよび更なる封止リップ７ａ、７ｂは、実質的に半円の断面を有し、したがってＯリングのように作用する。軸線方向で更に外側に配置される更なる封止リップ７ａ、７ｂは、第１の封止リップ５ａ、５ｂおよび第２の封止リップ６ａ、６ｂよりも径方向で短い距離を延在する。封止スリーブ１がパイプ・クランプを用いて平滑なパイプ端部の周りで締め付けられると、最初に第１の封止リップ５ａ、５ｂおよび第２の封止リップ６ａ、６ｂが、次に更なる封止リップ７ａ、７ｂがパイプの表面に接して位置する。第１の封止リップ５ａ、５ｂおよび第２の封止リップ６ａ、６ｂは、したがって、比較的大きい接触力でパイプの表面に押し付けられて、特に良好な封止を作り出す。
【００２８】
封止スリーブ１の径方向外側８は平滑である。したがって、封止スリーブ１の外側は平滑な円筒形状である。封止スリーブ１は、内側ではその軸線方向外縁部９ａ、９ｂで先細になっており、したがって、例えば、封止スリーブ１をパイプ・クランプの内部で形状嵌めによって保持できるように、パイプ・クランプの内側に突出する金属ストリップの下方に達してもよい。
【００２９】
中央領域３は、封止リップ５ａ、５ｂ、６ａ、６ｂ、７ａ、７ｂが形成される軸線方向端部領域２ａ、２ｂと比較して、低減された一定の材料厚さを有する。この領域は、実質的に、軸線方向端部領域２ａ、２ｂの互いからの明確な間隔を規定する役割を果たす。更に、軸線方向端部領域２ａ、２ｂの間の材料厚さが薄いため、内側で、即ちパイプ・クランプから離れる方向に面する側で封止スリーブ１を被覆する、帯状インサートを内側４に位置付けることができる。
【００３０】
図２は、２つのパイプ端部１０ａ、１０ｂに対して締め付けられた状態の封止スリーブ１を断面で示している。封止リップ５ａ、５ｂが軸線方向および径方向内側に変形していることが分かる。パイプ端部１０ａ、１０ｂの内部の圧力が高く、それが中央領域３の径方向内部の自由空間１１にも広がり、第１の封止リップ５ａ、５ｂはパイプ端部１０ａ、１０ｂの表面に押し付けられる。圧力が上昇すると、第１の封止リップ５ａ、５ｂに対する力が、またしたがって封止作用も更に増大する。
【００３１】
封止スリーブ１の締付けにより、封止スリーブ１の未装填状態において第２の封止リップ６ａ、６ｂと更なる封止リップ７ａ、７ｂならびに第１の封止リップ５ａ、５ｂとの間に形成される自由空間は、部分的もしくは完全に排除される。したがって、全ての封止リップ５ａ、５ｂ、６ａ、６ｂ、７ａ、７ｂは、パイプ端部１０ａ、１０ｂに対する張力下にあり、非常に良好な封止を作り出す。非常に良好な封止は、パイプ端部１０ａ、１０ｂが粗面の場合であっても、多くの比較的弾性の封止リップによって確保することができる。
【００３２】
本発明は、記載した例示的実施形態の１つに限定されず、多様な形で修正することができる。したがって、例えば、第２の封止リップおよび更なる封止リップは、図示される半円の断面から逸脱してもよく、例えば角錐形状であってもよい。第１の封止リップと同じ断面幾何学形状を有する、追加の封止リップも任意に設けられてもよい。更に、全ての封止リップが同じ距離だけ径方向内側に延在することが可能である。
【００３３】
本発明による封止スリーブは、互いに接合されているパイプ端部が粗面の場合であっても、しっかりした封止をできるようにする。封止リップは少なくとも部分的に非常に弾性であり、多くの封止リップにより良好な封止作用が常に達成される。このように、パイプ・クランプと関連して、非常に信頼性が高いパイプ連結具を実現することができる。
【符号の説明】
【００３４】
１  封止スリーブ
２ａ  軸線方向端部領域
２ｂ  軸線方向端部領域
３  中央領域
４  内側
５ａ  第１の封止リップ
５ｂ  第１の封止リップ
６ａ  第２の封止リップ
６ｂ  第２の封止リップ
７ａ  更なる封止リップ
７ｂ  更なる封止リップ
８  外面
９ａ  軸線方向外縁部
９ｂ  軸線方向外縁部
１０ａ  パイプ端部
１０ｂ  パイプ端部
１１  自由空間
【図１】
2020524771.tif 000003
【図２】
2020524771.tif 000004
【国際調査報告】
2020524771.tif 000005
2020524771.tif 000006
2020524771.tif 000007
2020524771.tif 000008
2020524771.tif 000009